(57)【特許請求の範囲】
【請求項１】
主光源を含む主灯（１００）を備え、前記主灯（１００）は上側の主灯本体（１１０）とそれを下側から覆う透光カバー（１２０）を具備し、前記主灯（１００）の周辺部に装着される補助灯（３００）を備え、前記補助灯（３００）は補助灯本体（３２０）と導光板（３６０）を具備し、
前記導光板（３６０）は狭幅の連絡部（３６１）と該連絡部（３６１）と一体でありその両側から前記主灯（１００）の外周に沿って延在する一対の広幅の延在部（３６２）を具備し、前記導光板（３６０）における前記連絡部（３６１）と一対の前記延在部（３６２）とで囲まれる区域に切欠部（３６９）を形成し、前記切欠部（３６９）に連通しかつ前記各延在部（３６２）の端部を切欠いた横向き収納部（３６３）を形成し、前記切欠部（３６９）に縦向き筒状の縦向き収納器部（３６５）を形成し、前記縦向き収納器部（３６５）と一体になりそこから前記延在部（３６２）の短手方向へ延び前記連絡部（３６１）の中央に一体に連結する結合片部（３６４）を形成し、
前記横向き収納部（３６３）に横向き発光ダイオード（３４０）を配置し、該横向き発光ダイオード（３４０）から出た光は前記延在部（３６２）内に注光され、前記縦向き収納器部（３６５）に縦向き発光ダイオード（３５０）を配置し、該発光ダイオード（３５０）から出た光は下方向へ投射され、
前記補助灯本体（３２０によって前記横向き発光ダイオード（３４０および縦向き発光ダイオード（３５０）への給電がなされ、前記補助灯本体（３２０）によって前記導光板（３６０）における前記連絡部（３６１）・前記縦向き収納器部（３６５）・結合片部（３６４）を覆いかつ前記切欠部（３６９）・横向き収納部（３６３）の周囲を覆い、前記補助灯本体（３２０）に前記縦向き発光ダイオード（３５０）から出た光を下向きに通す透光窓（３２８）を形成したことを特徴とする照明器具。
【請求項２】
請求項１において、補助灯本体（３２０）は上側の上蓋（３２２）とこれに組付けられる下側の下蓋（３２４）を具備し、前記下蓋（３２４）に形成した透光窓（３２８）の周囲に該下蓋（３２４）と一体でありかつ縦向き発光ダイオード（３５０）の周囲を覆いかつ該縦向き発光ダイオード（３５０）から横向きに出る光を遮断する遮光筒（３２９）を形成した照明器具。
【発明の詳細な説明】
【技術分野】
【０００１】  本発明は、主光源を含む主灯を備え、前記主灯の周辺部に装着される補助灯を備えた照明器具に関するものである。
【背景技術】
【０００２】  主光源を含む主灯を備え、前記主灯の周辺部に装着される補助灯を備えた照明器具は既に実用されている。前記補助灯は発光ダイオード・導光板を含む小形のものであって、主灯体の外周に沿った導光板を光らせ、補助的かつ装飾的な価値を高める。
【発明の開示】
【発明が解決しようとする課題】
【０００３】  前記の発光ダイオードは前記導光板に横向きに注光する横向き発光ダイオードである。前記導光板の適宜の箇所に縦向き発光ダイオードを付加すれば、下向きのスポットライトとしても機能する。スポットライト兼用の装飾灯となる。ダイオード駆動回路を適宜に切り替えれば、前記導光板のみが光り、あるいはスポットライトのみとなり、両者を併用することも可能である。
光が混じるという問題がある。前記縦向き発光ダイオードの光が導光性のある前記導光板へ混入し、不自然な発光となる。本発明の目的は前記縦向き発光ダイオードから前記導光板へ移行する不所望な光を阻止し、商品価値を高めることである。
【課題を解決するための手段】
【０００４】  本発明に係る照明器具は主光源を含む主灯を備える。前記主灯は上側の主灯本体とそれを下側から覆う透光カバーを具備する。前記主灯の周辺部に装着される補助灯を備える。前記補助灯は補助灯本体と導光板を具備する。
前記導光板は狭幅の連絡部と該連絡部と一体でありその両側から前記主灯の外周に沿って延在する一対の広幅の延在部を具備する。前記導光板における前記連絡部と一対の前記延在部とで囲まれる区域に切欠部を形成する。前記切欠部に連通しかつ前記各延在部の端部を切欠いた横向き収納部を形成する。前記切欠部に縦向き筒状の縦向き収納器部を形成する。前記縦向き収納器部と一体になりそこから前記延在部の短手方向へ延び前記連絡部の中央に一体に連結する結合片部を形成する。
前記横向き収納部に横向き発光ダイオードを配置する。該横向き発光ダイオードから出た光は前記延在部内に注光される。前記縦向き収納器部に縦向き発光ダイオードを配置する。該発光ダイオードから出た光は下方向へ投射される。
前記補助灯本体によって前記横向き発光ダイオードおよび縦向き発光ダイオードへの給電がなされる。前記補助灯本体によって前記導光板における前記連絡部・前記縦向き収納器部・結合片部を覆いかつ前記切欠部・横向き収納部の周囲を覆う。前記補助灯本体に前記縦向き発光ダイオードから出た光を下向きに通す透光窓を形成する。【０００５】  また、補助灯本体は上側の上蓋とこれに組付けられる下側の下蓋を具備する。前記下蓋に形成した透光窓の周囲に該下蓋と一体でありかつ縦向き発光ダイオードの周囲を覆いかつ該縦向き発光ダイオードから横向きに出る光を遮断する遮光筒を形成する。
【発明の効果】
【０００６】  本発明によれば、縦向き発光ダイオードから導光板へ移行する不所望な光を阻止し、商品価値を高めることができる。
【発明を実施するための最良の形態】
【０００７】  本発明の実施形態を図１〜１０を用いて説明する。本発明に係る照明器具は主光源を含む主灯１００を備える。主灯１００は上側の主灯本体１１０とそれを下側から覆う透光カバー１２０を具備する。主灯１００の周辺部に装着される補助灯３００を備える。補助灯３００は補助灯本体３２０と導光板３６０を具備する。
導光板３６０は狭幅の連絡部３６１と該連絡部３６１と一体でありその両側から主灯１００の外周に沿って延在する一対の広幅の延在部３６２を具備する。導光板３６０における連絡部３６１と一対の延在部３６２とで囲まれる区域に切欠部３６９を形成する。切欠部３６９に連通しかつ各延在部３６２の端部を切欠いた横向き収納部３６３を形成する。切欠部３６９に縦向き筒状の縦向き収納器部３６５を形成する。縦向き収納器部３６５と一体になりそこから延在部３６２の短手方向へ延び連絡部３６１の中央に一体に連結する結合片部３６４を形成する。
横向き収納部３６３に横向き発光ダイオード３４０を配置する。該横向き発光ダイオード３４０から出た光は延在部３６２内に注光される。縦向き収納器部３６５に縦向き発光ダイオード３５０を配置する。該発光ダイオード３５０から出た光は下方向へ投射される。
補助灯本体３２０によって横向き発光ダイオード３４０および縦向き発光ダイオード３５０への給電がなされる。補助灯本体３２０によって導光板３６０における連絡部３６１・縦向き収納器部３６５・結合片部３６４を覆いかつ切欠部３６９・横向き収納部３６３の周囲を覆う。補助灯本体３２０に縦向き発光ダイオード３５０から出た光を下向きに通す透光窓３２８を形成する。【０００８】  縦向き発光ダイオード３５０から出た光の一部は縦向き収納器部３６５を介し、結合片部３６４を介し、連絡部３６１を介し、導光板３６０に混入するが、この混入は軽微である。結合片部３６４は延在部３６２の短手方向であり、そこを進む光がほぼ直角に向きを変えて延在部３６２へ移行する確立は小さい。
図示の照明器具における補助灯本体３２０は上側の上蓋３２２とこれに組付けられる下側の下蓋３２４を具備する。下蓋３２４に形成した透光窓３２８の周囲に該下蓋３２４と一体でありかつ縦向き発光ダイオード３５０の周囲を覆いかつ該縦向き発光ダイオード３５０から横向きに出る光を遮断する遮光筒３２９を形成する。
縦向き発光ダイオード３５０は遮光筒３２９で覆われる。このため、縦向き発光ダイオード３５０の光が切欠部３６９を投射し延在部３６２へ届く確立は小さい。上蓋３２２は導光板３６０を介して下蓋３２４に組付けられる。この過程で下蓋３２４を導光板３６０の所要の位置にあてがう。このとき、縦向き収納器部３６５と遮光筒３２９は位置決め部材として機能する。縦向き収納器部３６５を遮光筒３２９に納める要領で位置を合わせる。遮光筒３２９は遮光兼位置決め部材として機能する。【０００９】  説明を補足する。主灯１００に付属する主光源は図外の環状蛍光ランプである。主灯１００に飾り鍔板部１０５が付属する。飾り鍔板部１０５は透明である。飾り鍔板部１０５は導光板３６０に属する延在部３６２の下方に位置する。縦向き発光ダイオード３５０から下方に出た光の一部は飾り鍔板部１０５で反射し、下蓋３２４を照射する。これにより、下方から見たときに下蓋３２４が暗部となるのを緩和する。導光板３６０はアクリル樹脂製である。連絡部３６１・延在部３６２・結合片部３６４・縦向き収納器部３６５はアクリル樹脂で一体に成形される。導光板３６０の内部は透明である。導光板３６０は光を閉じ込め、導く性質がある。その延在部３６２上面を乱反射状に形成しその反射光の一部を下向きに投射し、下から見たときに延在部３６２が均一に光って見えるようにする。縦向き収納器部３６５は上に開いた有底筒状である。縦向き発光ダイオード３５０の光はその底部を透過して下方に向かう。延在部３６２の長手方向は図７紙面の左右方向であり、短手方向は図７紙面の上下方向である。連絡部３６１と結合片部３６４は直交する。実用上は横向き発光ダイオード３４０と縦向き発光ダイオード３５０を色違いとすることが得策である。補助灯本体３２０を構成する上蓋３２２・下蓋３２４は合成樹脂製であり、ともに不透明である。【００１０】  図１０の３１０は補助灯本体３２０の付属するその取付アームである。取付アーム３１０は主灯本体１１０の上面かつ周縁寄りの位置に固着される。取付アーム３１０は電源配線樋を兼ねる。取付アーム３１０は上半体３１２・下半体３１４を抱合した形態である。上蓋３２２・上半体３１２の側に形成された止孔３９１、下半体３１４に形成された止孔３９２、下蓋３２４に形成された止孔３２５の箇所に図外の止めねじが装着される。上半体３１２・下半体３１４の一端側は係合構造である。下半体３１４の突片部３１５を上半体３１２端部の突起部３１３に引っ掛ける構造である。下半体３１４端部の複数の止孔３９５は主灯本体１１０にねじ止めするためのものである。
図１０の３３０は配線基板である。横向き発光ダイオード３４０・縦向き発光ダイオード３５０は配線基板３３０に装着される。配線基板３３０はその横向き発光ダイオード３４０・縦向き発光ダイオード３５０が横向き収納部３６３・縦向き収納器部３６５に位置するように組み付けられる。上蓋３２２における図外の下向きピン部が配線基板３３０の止孔３９３を介してボス部３９４に挿入され、配線基板３３０はボス部３９４上に保持される。
【図面の簡単な説明】
【００１１】
【図１】本発明器具の正面図
【図２】同器具の底面図
【図３】同器具の平面側から見た斜視図
【図４】同器具の底面側から見た斜視図
【図５】同器具の補助灯の平面側から見た拡大斜視図
【図６】同補助灯の平面側から見た拡大斜視図
【図７】同補助灯の底面側から見た拡大斜視図
【図８】同補助灯の拡大側面図
【図９】同補助灯の拡大断面図
【図１０】同補助灯の拡大分解斜視図
【符号の説明】
【００１２】１００：主灯
１０５：飾り鍔板部
１１０：主灯本体
１２０：透光カバー
３００：補助灯
３１０：取付アーム
３１２：上半体
３１３：突起部
３１４：下半体
３１５：突片部
３２０：補助灯本体
３２２：上蓋
３２４：下蓋
３２８：透光窓
３２９：遮光筒
３３０：配線基板
３４０：横向き発光ダイオード
３５０：縦向き発光ダイオード
３６０：導光板
３６１：連絡部
３６２：延在部
３６３：横向き収納部
３６４：結合片部
３６５：縦向き収納器部
３６９：切欠部
３９１：止孔
３９２：止孔
３９３：止孔
３９４：ボス部
３９５：止孔
【図１】
0004506977.tif 000002
【図２】
0004506977.tif 000003
【図３】
0004506977.tif 000004
【図４】
0004506977.tif 000005
【図５】
0004506977.tif 000006
【図６】
0004506977.tif 000007
【図７】
0004506977.tif 000008
【図８】
0004506977.tif 000009
【図９】
0004506977.tif 000010
【図１０】
0004506977.tif 000011